(57)【要約】【課題】  繰り返し使用により各刃部間の交叉時の対峙間隔が広がってしまうことを適切に防止すると共に、容易に刃合わせ作業を行うことができる手動切断具の提供。【解決手段】  本発明に係る手動切断具は、支軸Ｓにより交叉回動可能に軸支された第一刃板１及び第二刃板２と、該第一刃板１の後端部１ｂと連結する第一ハンドル３と、上記第二刃板２の後端部２ｂと連結する第二ハンドル４とを備える手動切断具であって、上記第二刃板２を挟んで上記第一刃板１と対向する合刃用板５を設け、該合刃用板５を上記支軸Ｓにより軸支し、該合刃用板５の後端部５ｂを上記第一ハンドル３に連結すると共に該合刃用板５の先端部５ａと上記第一刃板１の先端部１ａ間を連結手段６により連結したことを特徴とする。【選択図】  図１
2016215324.tif 000002
【特許請求の範囲】
【請求項１】
支軸により交叉回動可能に軸支された第一刃板及び第二刃板と、該第一刃板の後端部と連結する第一ハンドルと、上記第二刃板の後端部と連結する第二ハンドルとを備える手動切断具であって、上記第二刃板を挟んで上記第一刃板と対向する合刃用板を設け、該合刃用板を上記支軸により軸支し、該合刃用板の後端部を上記第一ハンドルに連結すると共に該合刃用板の先端部と上記第一刃板の先端部間を連結手段により連結したことを特徴とする手動切断具。
【請求項２】
上記連結手段は、上記合刃用板の先端部と上記第一刃板の先端部の何れか一方に穿設したネジ孔及び同他方に穿設した挿通孔と、頭部と軸部とを有するネジとから成り、該ネジの軸部を上記挿通孔を介して上記ネジ孔に螺合することにより、上記合刃用板の先端部と上記第一刃板の先端部間の対向間隔を調整可能に連結したことを特徴とする請求項１記載の手動切断具。
【請求項３】
上記合刃用板に刃部を形成し、該合刃用板の刃部を上記第二刃板の刃部と刃合わせしたことを特徴とする請求項１又は請求項２に記載の手動切断具。
【発明の詳細な説明】
【技術分野】
【０００１】
本発明は、支軸により交叉して回動するように軸支された一対の刃板と該一対の刃板の後端部と夫々連結する一対のハンドルとを備え、上記一対の刃板を交叉して該各刃板が有する刃部を交叉することにより切断対象物を切断する手動切断具に関するものである。
【背景技術】
【０００２】
この種手動切断具においては、一対の刃板が交叉する際に、該一対の刃板が夫々有する刃部同士が適切に対峙して摺接することにより切断を行うが、健全な切断を行うために、該各刃部間の交叉時の対峙間隔を調整する、所謂刃合わせ（合刃）という作業が必要となる。
【発明の概要】
【発明が解決しようとする課題】
【０００３】
上記刃合わせ作業は、刃部を研いだり刃部を変形させたりして微妙な調節を行う必要があり、熟練技術を要する。
【０００４】
また、一旦、適切に刃合わせを行ったとしても、繰り返しの使用により各刃部間の交叉時の対峙間隔が広がってしまい、該各刃部が適切に摺接することができず、健全な切断を行うことが困難となる場合があり、このような場合には再度の刃合わせ作業が必要なる。
【課題を解決するための手段】
【０００５】
本発明は、繰り返し使用により各刃部間の交叉時の対峙間隔が広がってしまうことを適切に防止すると共に、容易に刃合わせ作業を行うことができる手動切断具を提供する。
【０００６】
要述すると、本発明に係る手動切断具は、支軸により交叉回動可能に軸支された第一刃板及び第二刃板と、該第一刃板の後端部と連結する第一ハンドルと、上記第二刃板の後端部と連結する第二ハンドルとを備える手動切断具であって、上記第二刃板を挟んで上記第一刃板と対向する合刃用板を設け、該合刃用板を上記支軸により軸支し、該合刃用板の後端部を上記第一ハンドルに連結すると共に該合刃用板の先端部と上記第一刃板の先端部間を連結手段により連結する構成を有し、上記第一刃板の刃部と上記第二刃板の刃部間の交叉時の対峙間隔を保持し該間隔が広がるのを適切に防止する。
【０００７】
好ましくは、上記連結手段を、上記合刃用板の先端部と上記第一刃板の先端部の何れか一方に穿設したネジ孔及び同他方に穿設した挿通孔と、頭部と軸部とを有するネジとで構成し、該ネジの軸部を上記挿通孔を介して上記ネジ孔に螺合することにより、上記合刃用板の先端部と上記第一刃板の先端部間の対向間隔を調整可能に連結し、該対向間隔の調整によって上記第一刃板の刃部と上記第二刃板の刃部との刃合わせを容易に行うことができる。
【０００８】
また、上記合刃用板に刃部を形成し、該合刃用板の刃部を上記第二刃板の刃部と刃合わせすることにより、切断対象物を二箇所で確実に切断することが可能となる。
【発明の効果】
【０００９】
本発明によれば、同じハンドルに連結された合刃用板と第一刃板とが第二刃板を挟んで対向しつつ同一軸（支軸）に軸支され、且つ該合刃用板と該第一刃板の先端部（自由端部）同士を連結することにより、上記第一刃板が有する刃部と上記第二刃板が有する刃部間の交叉時の対峙間隔を保持することができる。そのため、上記第一刃板の刃部と上記第二刃板の刃部とが交叉時に適切に摺接し、良好な切断を可能とする状態を維持することができる。
【００１０】
また、上記合刃用板の先端部と上記第一刃板の先端部との連結を、該各先端部間の対向間隔を調整可能とする連結手段にて行うことにより、上記第一刃板の刃部と上記第二刃板の刃部との交叉時の対峙間隔を簡単に調整でき、もって刃合わせを容易に行うことができる。
【図面の簡単な説明】
【００１１】
【図１】実施例１に係る手動切断具の斜視図。
【図２】実施例１に係る手動切断具の分解斜視図。
【図３】一対の刃板及び合刃用板を示す拡大正面図。
【図４】一対の刃板及び合刃用板を示す拡大背面図。
【図５】一対の刃板及び合刃用板を示す拡大底面図。
【図６】実施例１に係る手動切断具にて切断対象物を切断する状態を示す説明図。
【図７】実施例２に係る手動切断具の分解斜視図。
【図８】（Ａ）は実施例２に係る手動切断具の正面図、（Ｂ）は同底面図。
【図９】実施例２に係る手動切断具にて切断対象物を切断する状態を示す説明図。
【発明を実施するための形態】
【００１２】
本発明を実施するための最良の形態について、図１乃至図９に基づいて説明する。
【実施例１】
【００１３】
実施例１に係る手動切断具は、図１・図２に示すように、ナット１１と螺合したボルト１０の軸部から成る支軸Ｓにより交叉回動可能に軸支された第一刃板１及び第二刃板２と、該第一刃板１の後端部１ｂと連結する第一ハンドル３と、上記第二刃板２の後端部２ｂと連結する第二ハンドル４とを備える基本構成を有する。上記第一刃板１は内縁に凹弧状の刃部１ｃを有すると共に、上記第二刃板２は内縁に凹弧状の刃部２ｃを有し、図６に示すように、該第一刃板１と第二刃板２が交叉する際に上記各刃部１ｃ・２ｃが交叉し切断対象物Ｃを切断する。
【００１４】
本発明にあっては、図３乃至図５に示すように、第二刃板２を挟んで第一刃板１と対向する合刃用板５を設け、該合刃用板５を支軸Ｓにより第一刃板１及び第二刃板２と一緒に軸支し、該合刃用板５の後端部５ｂを第一ハンドル３に連結すると共に該合刃用板５の先端部５ａと上記第一刃板１の先端部１ａ間を連結手段６により連結する構成を有する。
【００１５】
当該構成により、第一刃板１の刃部１ｃと第二刃板２の刃部２ｃ間の交叉時の対峙間隔を保持し該間隔が広がるのを適切に防止する。よって第一刃板１の刃部１ｃと第二刃板２の刃部２ｃとが適切に摺接する状態を維持し、もって健全な切断を行うことができる状態を維持する。すなわち、合刃用板５と第一刃板１の各先端部（自由端部）１ａ・５ａを連結することにより、該第一刃板１が第二刃板２から離間することを防止し、各刃板１・２が有する各刃部１ｃ・２ｃが離間することを防止する。
【００１６】
合刃用板５は、好ましくは第一刃板１と相似形に形成する。但し該合刃用板５は、その内縁が切断対象物Ｃに触れることを防止するために、当該内縁に凹弧部５ｄを形成する。該凹弧部５ｄは第一刃板１の刃部１ｃ及び第二刃板２の刃部２ｃよりも深く形成し、既述の如く、切断対象物Ｃに触れることはない。
【００１７】
また、連結手段６について詳述すると、連結手段６は合刃用板５の先端部５ａと第一刃板１の先端部１ａの何れか一方に穿設したネジ孔７及び同他方に穿設した挿通孔８と、頭部９ａと軸部９ｂとを有するネジ９とで構成し、該ネジ９の軸部９ｂを上記挿通孔８を介して上記ネジ孔７に螺合することにより、上記合刃用板５の先端部５ａと上記第一刃板１の先端部１ａ間の対向間隔を調整可能に連結する。なお、ネジ９の軸部９ｂは支軸Ｓと平行に配し、該軸部９ｂに沿い上記対向間隔を調整する。
【００１８】
本実施例においては、合刃用板先端部５ａにネジ孔７を穿設し、第一刃板先端部１ａに挿通孔８を穿設した場合を示している。この場合には該第一刃板先端部１ａの挿通孔８にネジ９の軸部９ｂを挿通すると共に該軸部９ｂの先端部を上記合刃用板先端部５ａのネジ孔７に螺合する。これによりネジ９の頭部９ａの座面（下面）が第一刃板先端部１ａ側に着座すると共に、同ネジ９の軸部９ｂが合刃用板先端部５ａのネジ孔７に螺合して両先端部１ａ・５ａを連結し、ネジ９を正逆回転することにより合刃用板先端部５ａと第一刃板先端部１ａ間の対向間隔を調整可能とする。
【００１９】
このように、合刃用板５の先端部５ａと第一刃板１の先端部１ａ間の対向間隔を調整することにより、該合刃用板５と第一刃板１が同一の支軸Ｓに軸支されていることと相俟って、第一刃板１が支軸Ｓ及びこれと平行な連結手段６のネジ９の軸部９ｂに沿って、第二刃板２と接近又は離間することとなる。したがって、第一刃板１の刃部１ｃも第二刃板２の刃部２ｃと接近又は離間することとなり、これにより刃部１ｃと刃部２ｃとの刃合わせを行うことができる。
【００２０】
なお、図５に示すように、好ましくは、ネジ９として頭部外面を平坦面とする皿ネジを用いると共に、挿通孔８をネジ９の頭部９ａを収容できる大きさとし、該頭部９ａが突出しないようにする。また、図示の例では、上記合刃用板５の先端部５ａにネジ孔７を穿設し、上記第一刃板１の先端部１ａに挿通孔８を穿設した場合について説明したが、本発明においては、上記合刃用板５の先端部５ａに挿通孔８を穿設し、上記第一刃板１の先端部１ａにネジ孔７を穿設する場合も包含することは勿論である。何れにしても挿通孔８側からネジ９の軸部９ｂを挿通する。
【００２１】
上記のとおり、本実施例に係る手動切断具は、同一のハンドル（第一ハンドル）３に連結する合刃用板５と第一刃板１とが第二刃板２を挟んで対向しつつ先端部５ａと先端部１ａ間を対向間隔を調整可能に連結する構成であり、更にはこれら合刃用板５と第一刃板１とが同一の支軸Ｓにより軸支される構成であり、第一刃板１の刃部１ｃと第二刃板２の刃部２ｃとの交叉時の対峙間隔を健全状態に維持することができると共に、例え上記対峙間隔の調整が必要となった場合にも容易にその調整を行うことができる。
【００２２】
したがって、本実施例に係る手動切断具は、図６に示す如く、切断対象物Ｃとしてケーブル、鋼材、太枝等の硬質な棒状体を切断する際にも有効に健全な切断を行うことができると共に、繰り返しの切断に対する耐久性も期待できる。
【実施例２】
【００２３】
図７・図８に示すように、実施例２に係る手動切断具も、ナット１１と螺合したボルト１０の軸部から成る支軸Ｓにより交叉回動可能に軸支された第一刃板１及び第二刃板２と、該第一刃板１の後端部１ｂと連結する第一ハンドル３と、上記第二刃板２の後端部２ｂと連結する第二ハンドル４とを備える基本構成を有する点は実施例１と同様である。
【００２４】
また、第二刃板２を挟んで第一刃板１と対向する合刃用板５を設け、該合刃用板５を支軸Ｓにより軸支し、該合刃用板５の後端部５ｂを第一ハンドル３に連結すると共に合刃用板５の先端部５ａと第一刃板１の先端部１ａ間を連結手段６により連結する構成を有する点、該連結手段６をネジ孔７・挿通孔８及びネジ９で構成する点も実施例１と同様である。これら構成の説明及び効果は実施例１における記載を援用する。
【００２５】
本実施例に係る手動切断具が実施例１と異なる点について、以下詳述する。
【００２６】
本実施例にあっては、第一刃板１は内縁に凹弧状の刃部１ｃを有し、第二刃板２は内縁に凸弧状の刃部２ｃを有すると共に先端部２ａを尖形状に形成する構成を有する。更に合刃用板５も内縁に凹弧状の刃部５ｃを有する構成を具備している。なお、第二刃板２の刃部２ｃは、第一刃板１が有する刃部１ｃ及び合刃用板５が有する刃部５ｃの双方と刃合わせすることとなるため、厚みのある刃部とする。
【００２７】
また、本実施例における合刃用板５は第一刃板１と同形状に形成する。
【００２８】
上記の如く、本実施例においては、実施例１とは第二刃板２の形状及び合刃用板５の形状において異なるが、合刃用板５と第一刃板１の先端部同士の連結により、第一刃板１の刃部１ｃと第二刃板２の刃部２ｃとの交叉時の対峙間隔の保持、及び該各刃部１ｃ・２ｃの刃合わせが容易に行えることについては実施例１と同様である。本実施例においては、合刃用板５にも刃部５ｃを形成するため、該刃部５ｃと第二刃板２の刃部２ｃとの刃合わせも容易に行えることとなる。
【００２９】
本実施例に係る手動切断具における切断対象物Ｃとしては、図９に示すように、雨樋等の薄厚の周壁を有する管材が適している。実際の切断に際しては、第二刃板２の尖形状の先端部２ａを利用して該第二刃板２を切断対象物Ｃの周壁の内面側に喰い込ませ、該周壁の内面側に存する第二刃板２の刃部２ｃと同周壁の外面側に存する第一刃板１の刃部１ｃ及び合刃用板５の刃部５ｃとで上記周壁を二箇所で確実に切断していくこととなる。このように二箇所で切断することにより、切断対象物Ｃの変形を抑えつつ効果的に切断することができる。
【００３０】
また、本実施例に係る手動切断具は、図９に示した如き管材の他、薄厚の金属製や合成樹脂製の板を切断するのにも適している。
【００３１】
以上、本発明に係る手動切断具は、実施例１と実施例２の何れの実施例においても、同じハンドル３に連結された合刃用板５と第一刃板１とが第二刃板２を挟んで対向しつつ同一軸（支軸）Ｓに軸支され、且つ該合刃用板５と該第一刃板１の先端部（自由端部）同士を連結することにより、第一刃板１が有する刃部１ｃと第二刃板２が有する刃部２ｃ間の交叉時の対峙間隔を保持することができる。そのため、第一刃板１の刃部１ｃと第二刃板２の刃部２ｃとが交叉時に適切に摺接し健全な切断を可能とする状態を維持することができる。
【００３２】
また、合刃用板５の先端部５ａと第一刃板１の先端部１ａとの連結を、該各先端部間の対向間隔を調整可能とする連結手段６にて行うことにより、第一刃板１の刃部１ｃと第二刃板２の刃部２ｃとの交叉時の対峙間隔を簡単に調整でき、もって刃合わせを容易に行うことができる。
【符号の説明】
【００３３】
１…第一刃板、１ａ…先端部、１ｂ…後端部、１ｃ…刃部、２…第二刃板、２ａ…先端部、２ｂ…後端部、２ｃ…刃部、３…第一ハンドル、４…第二ハンドル、５…合刃用板、５ａ…先端部、５ｂ…後端部、５ｃ…刃部、５ｄ…凹弧部、６…連結手段、７…ネジ孔、８…挿通孔、９…ネジ、９ａ…頭部、９ｂ…軸部、１０…ボルト、１１…ナット、Ｓ…支軸、Ｃ…切断対象物。
【図１】
2016215324.tif 000003
【図２】
2016215324.tif 000004
【図３】
2016215324.tif 000005
【図４】
2016215324.tif 000006
【図５】
2016215324.tif 000007
【図６】
2016215324.tif 000008
【図７】
2016215324.tif 000009
【図８】
2016215324.tif 000010
【図９】
2016215324.tif 000011